(57)【要約】【課題】階段部分を明るくでき、外観意匠設計が制限されることなく手摺の強度を向上させることができる手摺付き階段、これを備える建物、手摺付き階段の施工方法を提供すること。【解決手段】手摺付き階段２において、ささら桁部５１と手摺５２とが透光性面材５４を介して一体化されていることにより、二次元方向に確実に手摺構造５の強度を確実に向上させることができ、手摺５２下方からの小物類の落下も防止できる。  さらに、階段脇からの光がガラス板５４を通じて手摺付き階段２に導入されるから、別途照明によらずに階段部分を明るく開放的な空間とできるうえに、従来、外観意匠性を制限していた手摺子や筋交い状の部材等が不要となるから、手摺構造５、透光性面材５４を通して観察される手摺付き階段２全体、および該階段周囲に施される外観意匠の設計自由度を向上させることができる。【選択図】図１
2005113399.tif 000002
【特許請求の範囲】
【請求項１】
踏面を有する段板と、この段板の左右方向の端部を支持し、斜めに架設されるささら桁と、このささら桁の架設方向にほぼ沿うように延びる棒状の手摺とを備え、前記段板の少なくとも一方の端部が建物の壁側に当接しない階段であって、
前記手摺と前記ささら桁との間に設けられる透光性面材を備え、
この透光性面材と前記手摺と前記ささら桁とが一体化されることを特徴とする手摺付き階段。
【請求項２】
請求項１に記載の手摺付き階段において、
前記手摺を支持する棒状の支持部材が前記ささら桁に取り付けられ、これら手摺、支持部材、およびささら桁は一体形成されて枠体とされることを特徴とする手摺付き階段。
【請求項３】
請求項１または請求項２に記載の手摺付き階段において、
前記段板に固定される蹴込み板を備え、この蹴込み板は透光性を有することを特徴とする手摺付き階段。
【請求項４】
請求項３に記載の手摺付き階段において、
前記ささら桁は、架設方向に沿って延びる二本の棒状部材を有し、
これらの棒状部材のうち一方は前記段板の前方端部から隣接する段板の前方端部へと架設され、他方は前記段板の後方端部から隣接する段板の後方端部へと架設されて、これら棒状部材と前記段板と前記蹴込み板とによりトラス構造が構成されることを特徴とする手摺付き階段。
【請求項５】
請求項１から請求項４のいずれかに記載の手摺付き階段において、
前記ささら桁の下端には、階段が設置される仕上面と対向する連結部材が着脱可能に設けられるとともに、この連結部材の下方には、前記仕上面が形成される仕上材と略等しい厚さ寸法のスペーサが下地材の上に配置可能とされることを特徴とする手摺付き階段。
【請求項６】
請求項５に記載の手摺付き階段において、
前記段板の左右方向の一方の端部が建物の壁に固定されることを特徴とする手摺付き階段。
【請求項７】
請求項１から請求項６のいずれかに記載の手摺付き階段において、
前記透光性面材は、強化ガラスおよびアクリル板のいずれか一方により形成されることを特徴とする手摺付き階段。
【請求項８】
請求項１から請求項７のいずれかに記載の手摺付き階段を備える建物。
【請求項９】
踏面を有する段板と、この段板を支持し、斜めに架設されるささら桁と、このささら桁の架設方向にほぼ沿うように延びる棒状の手摺とを備え、前記段板の少なくとも左右方向の一方の端部が建物の壁側に当接しない手摺付き階段の施工方法であって、
前記手摺と前記ささら桁との間に透光性面材を設け、この透光性面材と前記手摺と前記ささら桁とを一体化することを特徴とする手摺付き階段の施工方法。
【請求項１０】
請求項９に記載の手摺付き階段の施工方法であって、
前記ささら桁の下端には、階段が設置される仕上面と対向する連結部材を取り付けるとともに、この連結部材と下地材との間にスペーサを配置して階段を仮設し、
その後、前記連結部材と前記スペーサとの双方を取り外し、
下地材の上に前記仕上面が形成される仕上材を敷設した後、前記連結部材を前記下端に取り付けて階段を完成することを特徴とする手摺付き階段の施工方法。
【発明の詳細な説明】
【技術分野】
【０００１】
本発明は、手摺付き階段、この手摺付き階段を備える建物、および手摺付き階段の施工方法に関する。
【背景技術】
【０００２】
従来から、建物の外側や建物内において様々な階段が知られている。その中で、両側が壁で挟まれて、いわゆる階段室を構成しているものもあるが、側面側が露出している階段も見受けられる。このような露出階段を採用すれば、階段脇から射し込む光によって階段を明るくすることができる。また、壁が占める割合が少ないので、圧迫感のない開放的な空間とすることができるとともに、階段の側面側の段形状が露出しているので、動きを感じる軽快な印象を生じさせることもできる。
さらに、階段を一層明るくするために、段板間の蹴込み板を無くしたものがある（例えば、特許文献１参照）。このような階段はストリップ階段と呼ばれ、段板間が素通し状となるので、階段や階段周囲に施された外観意匠を顕著に表現することができ、近年、特に着目されているものである。
ここで、上記のような露出階段では、転落を防止するために柵状の手摺構造を備えている（例えば、同特許文献参照）。この手摺構造は、ささら桁の架設方向に沿った棒状の手摺と、この手摺からささら桁や段板に向かって延びる複数の棒状部材（手摺子）とから柵状に構成されている。
【０００３】
【特許文献１】特開２０００−２５７２３２号公報
【発明の開示】
【発明が解決しようとする課題】
【０００４】
しかしながら、このような従来の手摺構造では、手摺子をささら桁や段板に対して一本一本、溶着したり金具等を使用したりして固定しており、手摺はささら桁等に対して手摺子の立設部分で部分的に支持されているに過ぎない。したがって、この手摺の強度を向上しようとすれば、手摺子を多数形成したり、手摺子を太く形成することになるが、これでは手摺子が込み入ったものとなり、階段の側面側を露出させるストリップ階段の外観意匠性を損なうことになる。そればかりか、棒状の手摺子を如何に立設しても強度に限界があり、外観意匠性に優れるとも言いがたい。
【０００５】
本発明の目的は、階段の側面側を露出させて階段部分を明るくでき、外観意匠設計が制限されることなく手摺の強度を向上させることができる手摺付き階段、この手摺付き階段を備える建物、および手摺付き階段の施工方法を提供することにある。
【課題を解決するための手段】
【０００６】
本発明の手摺付き階段２は、図面を参照すると、踏面２１１を有する段板２１と、この段板２１の左右方向の端部を支持し、斜めに架設されるささら桁５１と、このささら桁５１の架設方向にほぼ沿うように延びる棒状の手摺５２とを備え、前記段板２１の少なくとも一方の端部が建物１の壁１１側に当接しない階段であって、前記手摺５２と前記ささら桁５１との間に設けられる透光性面材５４を備え、この透光性面材５４と前記手摺５２と前記ささら桁５１とが一体化されることを特徴とする。
【０００７】
ここで、この手摺付き階段２は、屋内用としても屋外用としても設置できる。また、階段の片方の側面側を壁１１に当接させずに露出させてもよいし、両側を露出させることもできる。片側が壁１１に当接する場合は、各段板２１の左右方向の一端は壁１１に固定されることが好ましい。ただし、床固定型階段のような場合は、各段板２１は壁１１に固定されていなくて構わない。
そして、透光性面材５４としては、透明または半透明の樹脂製の板状部材や、金属製のメッシュ部材等を採用できる。
なお、本発明の手摺付き階段２として、各段板２１間が素通し状となるストリップ階段を採用することもできる。また、ささら桁５１の形状は問わず、例えば、金属製パイプ等をささら桁５１として使用してもよい。
【０００８】
この発明によれば、手摺５２とささら桁５１とが透光性面材５４を介して一体化されることにより手摺構造が面で構成されるので、従来の手摺、すなわち手摺子の立設部分でささら桁５１に部分的に支持されていた手摺よりも、二次元（例えば、前後における幅と高さ）方向において手摺５２の強度を確実に向上させることができる。また、手摺５２の下方から物等が落下するのを防止できる。
さらに、透光性面材５４の採用により、階段脇からの光が透光性面材５４を通じて手摺付き階段２に導入されるから、直接照明によらずに階段部分を明るく開放的な空間とできるうえに、従来、外観意匠性を制限していた手摺子や、筋交い状の部材等が不要となるから、手摺５２、透光性面材５４を通して観察される手摺付き階段２全体、および該階段周囲の構造物それぞれに施される外観意匠の設計自由度を向上させることができる。
【０００９】
本発明では、前記手摺５２を支持する棒状の支持部材５３が前記ささら桁５１に取り付けられ、これら手摺５２、支持部材５３、およびささら桁５１は一体形成されて枠体とされることが好ましい。
この発明によれば、支持部材５３を含んで枠体が構成されており、この枠体が強固な骨組みとなるうえ、さらに、この枠体に沿って設けられる透光性面材５４が補強材となるので、手摺５２の強度をより一層向上させることができる。
【００１０】
本発明では、前記段板２１に固定される蹴込み板２２を備え、この蹴込み板２２は透光性を有することが好ましい。
ここで、蹴込み板２２としては、透明または半透明の樹脂製の板状部材や、金属製のメッシュ、あるいは骨組み状の部材等、段板２１と段板２１との間が素通し状となる各種の態様を採用できる。
この発明によれば、段板２１を蹴込み板２２によって支持させて段板２１と段板２１とを連続させることにより、段板２１と蹴込み板２２とささら桁５１とが略三角形状に組み合うので構造的に強固なものとなり、段板２１の傾きを防止できる。また、この蹴込み板２２は光を透過させるため、各段板２１間が蹴込み板２２によって塞がれていても暗くならず、明るさを維持できる。
【００１１】
本発明では、前記ささら桁７１は、架設方向に沿って延びる二本の棒状部材７１１，７１２を有し、これらの棒状部材７１１，７１２のうち一方は前記段板２１の前方端部から隣接する段板２１の前方端部へと架設され、他方は前記段板２１の後方端部から隣接する段板２１の後方端部へと架設されて、これら棒状部材７１１，７１２と前記段板２１と前記蹴込み板２２とによりトラス構造が構成されることが好ましい。
ここで、トラス構造は二本の棒状部材７１１，７１２を弦材として、かつ、段板２１および蹴込み板２２の階段側面側の端部を斜材とするラチス梁形状に構成される。また、トラス構造の各接点は、リベット止め等によりピン接合される。
この発明によれば、トラス構造の採用によって、段板２１および蹴込み板２２は軸力方向で外力とつり合い、曲げモーメント・せん断力は生じないので、手摺付き階段２の全体構造を頑強なものにできる。
【００１２】
本発明では、前記ささら桁５１の下端５１１には、階段が設置される仕上面と対向する連結部材６が着脱可能に設けられるとともに、この連結部材６の下方には、前記仕上面が形成される仕上材ＦＬと略等しい厚さ寸法のスペーサＳＰが下地材１２の上に配置可能とされることが好ましい。
ここで、手摺付き階段２が上面に設置される「仕上面」とは、下地材の上に仕上材ＦＬが配置されて仕上げられた際、仕上材ＦＬがなす表面をいうものとする。
また、この仕上材ＦＬとしては、フローリング材、カーペット、屋内外用のタイルや石材等、各種の材料を採用できる。
【００１３】
この発明によれば、連結部材６を取り外すことによって、手摺付き階段２の設置後でも階段の下方に仕上材ＦＬを挿入可能な隙間を生じさせることが可能となる。これにより、仕上材ＦＬをささら桁下端５１１の形状に沿って加工しなくても一面に敷き詰めることができ、仕上りにも優れる。
また、仕上面の施工前はスペーサＳＰを仕上材ＦＬの代わりに配置できるので、この手摺付き階段２を階上階下の作業用に使用可能となる。このように、手摺付き階段２を設置したまま建物１施工の最終段階で仕上面を施工できるから、作業用階段を仮設置しなくても済み、この点でも作業効率を向上させることができる。
【００１４】
本発明では、前記段板２１の左右方向の一方の端部が建物１の壁１１に固定されることが好ましい。
この発明によれば、スペーサＳＰを取り外しても、壁１１と段板２１との固定部分で手摺付き階段２が保持されるので、手摺付き階段２を保持する他の手段が不要となり、仕上面の施工を容易に行うことができる。
【００１５】
本発明では、前記透光性面材５４は、強化ガラスおよびアクリル板のいずれか一方により形成されることが好ましい。
この発明によれば、強化ガラスおよびアクリル板は材質自体の透明度が高いので、手摺付き階段２をより明るくできるとともに、開放的な空間を演出することもできる。透光性面材５４の表面加工によって半透明とする等、明るさを調整したり、色調を調整したりすることも容易となる。
また、強化ガラスを採用した場合は、手摺５２の強度をより一層向上させることができるうえ、耐火性にも優れる。
そして、アクリル板を採用した場合は透光性面材５４が軽量化されるので、ささら桁５１や段板２１等にかかる荷重を軽減できる。
【００１６】
本発明の建物１は、前述したような手摺付き階段２を備えることを特徴とする。
この発明によれば、手摺付き階段２は壁１１に囲まれておらず、透光性面材５４が採用されていることから、明るく昇降し易い。また、階段部分に直接照明を設けなくても済む。
そして、建物１内外の空間において、手摺構造５に遮られることなく上下方向・水平方向に建物１の外観意匠性を存分に発揮できる。
したがって、これらの明るさや外観意匠性が建物１の魅力ともなり、利用者はこの建物１を快適に利用できる。
【００１７】
本発明の手摺付き階段２の施工方法は、踏面２１１を有する段板２１と、この段板２１を支持し、斜めに架設されるささら桁５１と、このささら桁５１の架設方向にほぼ沿うように延びる棒状の手摺５２とを備え、前記段板２１の少なくとも左右方向の一方の端部が建物１の壁１１側に当接しない手摺付き階段２の施工方法であって、前記手摺５２と前記ささら桁５１との間に透光性面材５４を設け、この透光性面材５４と前記手摺５２と前記ささら桁と５１を一体化することを特徴とする。
【００１８】
この発明によれば、手摺構造５が透光性面材５４を含んで構成されていることにより、前述のように、二次元方向において強度を確実に向上させることができ、手摺５２の下方からの物の落下も防止できる。
さらに、手摺構造５の透光性により、前述のように、手摺付き階段２の明るさおよび開放感が得られるとともに、外観意匠の設計自由度を向上させることができる。
【００１９】
本発明では、前記ささら桁５１の下端には、手摺付き階段２が設置される仕上面と対向する連結部材６を取り付けるとともに、この連結部材６と下地材１２との間にスペーサＳＰを配置して手摺付き階段２を仮設し、その後、前記連結部材６と前記スペーサＳＰとの双方を取り外し、下地材１２の上に前記仕上面が形成される仕上材ＦＬを敷設した後、前記連結部材６を前記下端５１１に取り付けて手摺付き階段２を完成することが好ましい。
【００２０】
この発明によれば、前述のように連結部材６を取り外すことによって、手摺付き階段２の設置後でも下方に隙間を生じさせることが可能となるので、手摺付き階段２下を含む一面に仕上材ＦＬを容易に敷き詰めることができる。
また、手摺付き階段２を仮設し、建物１施工の最終段階で仕上面を施工した後に手摺付き階段２を本設置できるから、専用の作業用階段の設置が不要となり、この点でも作業効率に優れる。
【発明を実施するための最良の形態】
【００２１】
〔第一実施形態〕
以下、本発明の第一実施形態を図面に基づいて説明する。
図１には、本実施形態にかかる建物１の手摺付き階段２の階下側が示されており、図２には、手摺付き階段２の下部が拡大されて示されている。
手摺付き階段２は、階下の床面１２から階上の床梁（図示省略）へ斜めに架け渡されるように設置されている。また、手摺付き階段２は、一方の側面が建物１の室内壁１１に固定され、他方の側面側は露出するように設置されている。ここで、床面１２は下地材のままとされており、後述するようにフローリング材によって仕上げられる。図１では、仕上前の床面１２に手摺付き階段２が設置されている。
ここで、手摺付き階段２において、床面１２へ対向する側を前方と、階上へ対向する側を後方として説明する。また、手摺付き階段２の室内壁１１への対向側および露出側の方向は左右方向として以下説明する。
【００２２】
手摺付き階段２は、段板２１と、蹴込み板２２と、手摺付き桁５と、連結部材６とを備えたストリップ階段である。手摺付き階段２の架設方向には、段板２１が所定間隔で複数配置されている。この段板２１は集積材を用いて矩形平板状に形成されており、床面１２と水平に、かつ、両方の短辺側が左右方向の端部となるように配置されて、一方の短辺側の端部が室内壁１１に固定されている。段板２１の表面は手摺付き階段２を昇降する際に踏まれる踏面２１１とされており、裏面には、表面側に向かって窪んでおり蹴込み板２２の厚みに対応する一本の溝２１２が、前方の端縁に沿って形成されている。
また、蹴込み板２２は、それぞれの段板２１の後方端部とこの段板２１の上方側に隣接する段板２１の前方端部との間を上下に延びて、段板２１と共に連続的な段形状を形成している。この蹴込み板２２は透明な強化ガラス製であり、段板２１と長辺がほぼ等しい矩形平板状に形成されている。そして、上端が上方の段板２１裏面の溝２１２に挿入され、下端が下方の段板２１の後方端面との重なり代でボルト止めされることにより、各蹴込み板２２が各段板２１を支持するように固定されている。なお、最下方の段板２１のみ、裏面に蹴込み板２２が取り付けられておらず、この段板２１は床面１２と対向している。
【００２３】
次に、手摺付き階段２の側面露出側には、転落を防止する手摺付き桁５が、床面１２から階上に届く略平行四辺形状に形成されている。この手摺付き桁５は、段板２１および蹴込み板２２の端面に沿って、段板２１の長手方向と直交する方向に立設されている。
この手摺付き桁５は、ささら桁部５１と、手摺５２と、支持部材５３と、透光性面材としてのガラス板５４とを含んで一体的に形成されている。
ささら桁部５１は、剛性の高い金属等による断面略コ字状の棒状部材により形成されており、段板２１の後方端部から隣接する段板２１の後方端部へと、床面１２から階上まで斜めに架設され、段板２１の後方端部をリベット止めにより支持している。すなわち、ささら桁部５１と段板２１とはピン接合されている。
なお、このささら桁部５１が床面１２と対向する側は下端部５１１とされ、この下端部５１１には、ガラス板５４の面と直交する方向に沿って貫通するねじ孔５１１Ａが形成されている（図３（Ｂ）参照）。
【００２４】
そして手摺５２は、断面略コ字状の木製棒状部材により形成されており、ささら桁部５１の上方にささら桁部５１とほぼ平行に、階段昇降の際に把持できるように設置されている。
また、この手摺５２の両端には、手摺５２を支持するようにささら桁部５１に向かってほぼ鉛直に延びる一対の支持部材５３が、手摺５２と一体的に形成されている。この支持部材５３も、手摺５２と同様に、断面略コ字状の木製棒状部材とされている。
ここで、これら手摺５２、支持部材５３、およびささら桁部５１により一つの枠体が形成されており、この枠体の内部には枠の形状および寸法に対応したガラス板５４が嵌め込まれている。このガラス板５４は透明の強化ガラス製であり、ささら桁部５１、手摺５２、および支持部材５３の各凹部（棒状部材の断面略コ字状部分）にて外周部分が挟持され、図示を省略したが複数の段板２１の端部にボルト止めされている。
なお、このガラス板５４は透明な仕様とされているが、フロストガラスや調光ガラスも採用可能である。
【００２５】
一方、手摺付き桁５とは反対側では、ささら桁部５１の架設方向に沿って複数の桟木（図示省略）が所定間隔に室内壁１１から突設されており、これらの桟木に支持されるように、各段板２１の短辺側の端部がそれぞれ固定されている。
なお、各桟木は室内壁１１に埋設された芯材に固定されている。また、各段板２１間に固定される蹴込み板２２の短辺側の端部は室内壁１１に当接している。
【００２６】
そして、ささら桁部５１の下端部５１１には、図２に示されるように連結部材６が取り付けられている。この連結部材６は、金属等、剛性の高い材質により形成されており、ささら桁部５１とともに手摺付き階段２の高さ寸法に含まれている。連結部材６は、下端部５１１をその傾斜に沿うように挟持する一対の挟持部６１と、平板状の台座部６２とを有している。挟持部６１にはそれぞれねじ孔が形成されており、このねじ孔とささら桁部５１のねじ孔５１１Ａ（図３（Ｂ）参照）とに一本のねじ６１１が螺合されることにより、下端部５１１に連結部材６が着脱可能に取り付けられている。
これらの挟持部６１は台座部６２の上面に立設されており、この台座部６２の下面は床面１２に対向している（図１参照）。この台座部６２と床面１２との間には平板状のスペーサＳＰが挟まれている。このスペーサＳＰは、後述するように床面１２の仕上材として貼設されるフローリング材ＦＬ（図４（Ｃ）参照）とほぼ等しい厚さ寸法とされている。スペーサＳＰは剛性の高い金属等により形成されているが、建物１の施工現場で使用された合板の端材等で代用することも考えられる。
以上より、手摺付き階段２は下端部５１１に取り付けられた連結部材６にて、スペーサＳＰを介して床面１２に設置されている。
【００２７】
（手摺付き階段の仮設）
次に、手摺付き階段２の施工方法について説明する。例えばまず、手摺付き階段２は、床面１２を仕上げる前に次のように仮設される。
（A-1）ささら桁部５１を階上へ斜めに架設した際に段板２１が水平となるように、各段板２１の後方端部をささら桁部５１にリベットで固定する。ここで、ささら桁部５１の下端部５１１に連結部材６をねじ６１１により取り付けておく。
（A-2）ささら桁部５１を段板２１ごと床面１２から階上に架設する。この際、連結部材６と床面１２との間にスペーサＳＰを配置する（図３（Ａ）参照）。
（A-3）クロスの貼られた室内壁１１に各段板２１を水平に固定する。ここで、前述の桟木（図示省略）を利用して各段板２１を固定する。なお、段板２１の取り付け後に室内壁１１のクロスを貼ってもよい。
（A-4）各段板２１に蹴込み板２２の上端下端を、前述のように固定する。
（A-5）ガラス板５４の端部をささら桁部５１の凹部、続いて、手摺５２の凹部、支持部材５３の凹部（いずれの凹部も断面略コ字状部分）に挿入したうえで、ガラス板５４を複数の段板２１端部にボルト止めすることにより、手摺付き桁５として一体化する。以上により手摺付き階段２の仮設作業が完了する。
【００２８】
以上説明したように、手摺付き階段２を設置する際にはスペーサＳＰが配置され、手摺付き階段２は、床面１２と対向する部分である下端部５１１で連結部材６というゲタを履いたような格好となる。ここで、手摺付き階段２の高さ寸法は床面１２をフローリング材ＦＬで仕上げた状態における階上までの階高に対応するが、フローリング材ＦＬの代わりに厚さ寸法の略等しいスペーサＳＰが配置されているから、床面１２の仕上げ前でも手摺付き階段２の構造に歪みが生じたりせず、作業用階段（仮設階段）として手摺付き階段２を利用できる。
【００２９】
次に、床面１２の施工に関する図３および図４を参照しながら、前述のように仮設された手摺付き階段２を本設置する方法について説明する。
ここで、手摺付き階段２は室内壁１１と当接しない側ではささら桁部５１の下端部５１１にて設置されており、従来の施工方法では床面１２を仕上げる際、下端部５１１の接地している部分が邪魔になっていたが、次のように施工することでこの問題を解決できる。
なお、本実施形態では床面１２にフローリング材ＦＬを貼設して仕上げるが、仕上材として、タイル、コルク、カーペット、石材等も採用できる。
【００３０】
（手摺付き階段の本設置）
手摺付き階段２は、例えば次のように本設置される。
（B-1）上述した手摺付き階段２の仮設により、下端部５１１には連結部材６が取り付けられており、手摺付き階段２はスペーサＳＰを介して床面１２に設置されている（図３（Ａ）参照）。
（B-2）床面１２を施工する際は、連結部材６およびスペーサＳＰを取り外す（図３（Ｂ）参照）。この際、ねじ６１１の螺合を解除すると連結部材６が上方および前後方向にスライド可能となるので、連結部材６およびスペーサＳＰを取り外すことができる。ここで、下端部５１１の下方には、連結部材６およびスペーサＳＰを外した分の隙間が空いている。
（B-3）連結部材６の下方に生じた床面１２との隙間部分からフローリング材ＦＬを挿入し、床面１２に貼設する（図４（Ｃ）参照）。ここで、この隙間部分はフローリング材ＦＬの厚さ寸法に対して余裕があるので、フローリング材ＦＬを容易に挿入できる。
（B-4）床面１２の仕上げが済んだら、連結部材６を下端部５１１にスライドするようにして配置し、再度取り付ける（図４（Ｄ）参照）。
以上により、床面１２の仕上げ作業に伴う手摺付き階段２の施工が完了し、これによって手摺付き階段２が完成する。
【００３１】
このような第一実施形態によれば、次のような効果がある。
（1-1）手摺付き階段２は一方の側面が室内壁１１に当接しないで露出し、ささら桁部５１と、手摺５２と、支持部材５３とによって形成された枠体にガラス板５４が嵌合し、一体化されている。これによりまず、手摺付き桁５が面を含んで構成されることで二次元方向（支持部材５３の延出方向、及びささら桁部５１の架設方向）において手摺５２の強度を確実に向上させることができ、手摺５２下方からの小物類の落下も防止できる。
さらに、支持部材５３を含んで上記枠体が構成されており、この枠体が強固な骨組みとなるうえ、さらに、この枠体に嵌合するガラス板５４が補強材となることから、より一層手摺５２の強度を向上させることができる。
【００３２】
また、ガラス板５４を通して手摺付き階段２の脇から光が射し込むから、手摺付き階段２専用の直接照明を設けなくても段板２１等を明るくできる。そのうえ、ガラス板５４を通して素通し状となるので、手摺付き桁５の存在を感じさせない開放的な空間とすることができる。
そして、前述したように、従来の多数の手摺子や筋かい状の部材等を用いたりしなくても十分な強度が確保されるので、手摺５２、ガラス板５４を通して観察される手摺付き階段２全体、室内壁１１、床面１２等の外観意匠の設計自由度を向上させることができる。
【００３３】
（1-2）各段板２１間に透明な蹴込み板２２を備え、蹴込み板２２に段板２１を支持させることにより、上下方向に延びて段板２１を支持する蹴込み板２２と、この蹴込み板２２に前後方向で挟持されている段板２１と、これらの段板２１および蹴込み板２２の端面に対して手摺付き階段２の側面方向から当接するささら桁部５１とが略三角形状に組み合って交差角を形成するので構造的に強固なものとなり、段板２１が傾かずに踏面２１１を水平に維持できる。
また、この蹴込み板２２は透明であるため、段板２１間が蹴込み板２２で塞がれていても光が射し込み、手摺付き階段２の明るさを保つことができる。
【００３４】
（1-3）ささら桁部５１の下端部５１１に連結部材６を着脱可能に取り付け、床面１２を仕上げる前は床面１２と連結部材６との間にスペーサＳＰを配置することにより、手摺付き階段２の設置後に連結部材６およびスペーサＳＰを取り外し、下端部５１１の下方に生じた隙間部分を利用してフローリング材ＦＬを床面１２に施工することが可能となる。
したがって、フローリング材ＦＬを下端部５１１の形状に沿ってカットしたり、柄合わせをしたり等の作業を伴うことなく容易に床面１２に敷き詰めることができ、カットの形跡等も残らないから仕上りにも優れる。
また、連結部材６およびスペーサＳＰを取り外しても、室内壁１１に固定された段板２１の端部にて手摺付き階段２が保持されるので、他の保持手段を必要としない。さらに、スペーサＳＰだけでなく連結部材６の寸法分の隙間をも生じさせることができるので、この隙間部分にフローリング材ＦＬを挿入し易く、床面１２の仕上作業が容易となる。
そして、連結部材６がささら桁部５１とともに手摺付き階段２の高さ寸法に含まれており、フローリング材ＦＬの代わりにスペーサＳＰが配置されるので、床面１２をフローリング材ＦＬで仕上げる前でも手摺付き階段２がぐらついたりせず、階上階下を作業するために昇降できる。
以上により、手摺付き階段２を建物１の施工初期に設置し、フローリング材ＦＬの施工を施工最終段階で行えば、フローリング材ＦＬの汚損が防止されるばかりか、フローリング材ＦＬを面倒な作業無しに美しく仕上げることができる。また、作業後の撤去を前提とした作業用階段を設置しなくても済むので、この点でも作業効率を向上させることができる。
【００３５】
（1-4）強化ガラス製のガラス板５４が採用されていることにより、手摺付き桁５の強度をより一層向上させることができ、耐火性にも優れる。
また、ガラス板５４の材質自体の透明度の高さから、手摺付き階段２およびその近傍をより明るく、開放的な空間とすることもできる。
【００３６】
（1-5）建物１には前述したような手摺付き階段２が採用されていることにより、階段部分が室内壁１１で囲まれずに開放的となり、また、照明を設けなくても暗くならず、昇降し易い。
さらに、室内壁１１、床面１２等が手摺付き桁５で遮られないので、これらの外観意匠をガラス板５４越しに十分表現できる。
【００３７】
〔第二実施形態〕
次に、本発明の第二実施形態について説明する。
なお、以下の説明では、既に説明した実施形態と同様の構成については、同一符号を付して、説明を省略もしくは簡略化する。
第一実施形態では、手摺付き階段２は片側に手摺付き桁５を備えていた。また、一本の棒状部材によるささら桁部５１を備えていた。
これに対し、第二実施形態では、手摺付き階段は両側に手摺付き桁を備えるとともに、ささら桁として二本の棒状部材を備える点が相違する。以下、具体的に説明する。
【００３８】
図５には、本実施形態に係る建物１の手摺付き階段３の階下側が示されている。
手摺付き階段３は、第一実施形態の手摺付き階段２と略同様に、階下の床面１２から階上の床梁（図示省略）へ斜めに架け渡されている。ここで、手摺付き階段３は、両方の側面とも壁に当接しないで露出しており、両方の側面側に手摺付き桁５を備えている。すなわち、各段板２１は壁に固定されておらず、段板２１の左右方向の両端は手摺付き桁５によって支持されている。
この手摺付き桁５に含まれるささら桁部７１は、第一実施形態のささら桁部５１と略同様の第一ささら桁７１１に加え、この第一ささら桁７１１と略平行に配置される棒状の第二ささら桁７１２を備え、これら二本の棒状部材により構成されている。
【００３９】
第二ささら桁７１２は、第一ささら桁７１１と同様、剛性の高い金属製の棒状部材により形成されている。この第二ささら桁７１２は、第一ささら桁７１１の上方で、段板２１の前方端部から隣接する段板２１の前方端部へと架設され、段板２１の後方端部をリベット止めにより支持している。なお、この第二ささら桁７１２の両端は支持部材５３に固定されている。
ここで、第一・第二ささら桁７１１、７１２を弦材とし、段板２１および蹴込み板２２の端部を斜材とし、これらの各接点がリベット止めによりピン接合されたトラス構造が形成されている。
なお、手摺付き階段３の施工方法は第一実施形態と同様であるため、ここでは説明を省略するが、第一ささら桁７１１下端の下端部７１１Ａは、第一実施形態の下端部５１１と略同様の形状であり、この下端部７１１Ａに連結部材６が着脱自在に取り付けられる（前記A-1〜A-5、およびB-1〜B-4参照）。
【００４０】
このような第二実施形態によれば、第一実施形態の（1-1）〜（1-5）で述べた効果に加えて、次のような効果がある。
（2-1）階段構造としてのささら桁に対応する位置に、前述のようなトラス構造が形成されることにより、段板２１および蹴込み板２２は軸力方向で外力とつり合い、曲げモーメント・せん断力は生じないので、段板２１、蹴込み板２２、ささら桁部７１、手摺５２、支持部材５３、ガラス板５４等の変形を防止でき、手摺付き階段３の全体構造を頑強なものとできる。また、このようなトラス構造は素通し状であるから、手摺付き階段２を明るく保つことができる。
【００４１】
なお、本発明は前述の実施形態に限定されるものではなく、本発明の目的を達成できる範囲での変形、改良等は本発明に含まれるものである。
図６は、本発明の変形例にかかる手摺付き階段４の側面図である。ここで、前記各実施形態のささら桁部５１、７１が棒状部材により形成されていたのに対し、ささら桁部８１は、側面から見た際に段板２１および蹴込み板２２の端面形状を被覆するような連続的な段形状に形成されており、この段形状の各直線部分に沿って各段板および各蹴込み板を強固に支持できる。
また、手摺付き桁５は、手摺５２と略平行に、ガラス板５４の面に沿って配置される棒状部材９２を備えており、この棒状部材９２によって補強されている。
さらに、手摺付き階段４は、階上側で段板２１を支持する支柱１０１を備えており、この支柱１０１の下端には、ささら桁部８１の下端と同様に、連結部材６が着脱可能に取り付けられている。ここで、この支柱１０１に取り付けられる連結部材６を、第一実施形態の下端部５１１に取り付ける連結部材６と略同様に取扱うことによって（前記A-1〜A-5、およびB-1〜B4参照）、支柱１０１が床面１２の仕上作業の支障となることなく、床面１２を容易かつ美しく仕上げることができる。
【００４２】
また、手摺付き桁５の形状・位置等は、前記各実施形態に限定されない。ささら桁部５１，７１、８１と手摺５２とがガラス板５４を介して一体化されていれば、ガラス板５４はささら桁部５１、７１、８１、手摺５２、および支持部材５３とによって枠状に囲まれていなくても構わない。
なお、手摺付き桁５を構成する透光性面材として、前記各実施形態では強化ガラス製のガラス板５４が採用されていたが、例えば、アクリル板や、メッシュ材、透き孔を有するアルミニウムフレーム等を採用することもできる。
そして、段板２１、蹴込み板２２等の形状等も前記実施形態に限定されず、蹴込み板２２を備えなくてもよい。
さらに、手摺付き階段２、３、４の設置作業は、床面１２の仕上げ前でも仕上げ後でも構わない。
【産業上の利用可能性】
【００４３】
本発明は、少なくとも一方の側面が露出する階段として利用できる他、踊り場やバルコニー等の手摺にも本発明の手摺構造を適用することができる。
【図面の簡単な説明】
【００４４】
【図１】本発明の第一実施形態における手摺付き階段の斜視図。
【図２】図１の手摺付き階段の下部を示す部分拡大図。
【図３】前記実施形態における手摺付き階段の施工方法を説明する図。
【図４】前記実施形態における手摺付き階段の施工方法を説明する図。
【図５】本発明の第二実施形態における手摺付き階段の斜視図。
【図６】本発明の変形例における手摺付き階段の側面図。
【符号の説明】
【００４５】
１                   建物
２、３、４           手摺付き階段
５                   手摺付き桁（手摺とささら桁と透光性面材とが一体化された面材）
６                   連結部材
１１                 室内壁
１２                 床面（下地材の面）
２１                 段板
２２                 蹴込み板
５１、７１、８１     ささら桁部（枠体の一部）
５２                 手摺（枠体の一部）
５３                 支持部材（枠体の一部）
５４                 ガラス板（透光性面材）
２１１               踏面
５１１、７１１Ａ     下端部（ささら桁の下端）
７１１               第一ささら桁（二本の棒状部材のひとつ）
７１２               第二ささら桁（二本の棒状部材のひとつ）
ＦＬ                 フローリング材（仕上材）
ＳＰ                 スペーサ
【図１】
2005113399.tif 000003
【図２】
2005113399.tif 000004
【図３】
2005113399.tif 000005
【図４】
2005113399.tif 000006
【図５】
2005113399.tif 000007
【図６】
2005113399.tif 000008